(57)【要約】【課題】  撮像データを適切に評価することが可能な評価システム等を提供すること。【解決手段】  サーバーと、当該サーバーと伝送路を介して通信する複数の携帯型端末装置とを含んで評価システムを構成し、携帯型端末装置が、撮像対象である商品の特徴部分を示す撮像支援画像を含む指示画像４００を撮像時に表示し、撮像対象を撮像して撮像情報をサーバーへ向け送信し、サーバーが、撮像情報と撮像対象の指示との適否を判定して評価する。【選択図】      図２
2005191839.tif 000002
【特許請求の範囲】
【請求項１】
サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価システムにおいて、
前記携帯型端末装置は、
前記指示画像の少なくとも一部として、前記撮像対象の一部の特徴部分を示す撮像支援画像を撮像時に表示する表示手段と、
前記撮像対象を撮像して前記撮像情報を生成する撮像手段と、
前記撮像情報を前記サーバーへ向け送信する端末側通信手段と、
を含み、
前記サーバーは、
前記撮像情報を受信するサーバー側通信手段と、
前記撮像情報と前記指示との適否を判定する判定手段と、
当該判定手段による判定結果に応じて、判定対象となった撮像情報の評価を示す評価情報を生成する情報生成手段と、
を含むことを特徴とする評価システム。
【請求項２】
請求項２において、
前記表示手段は、前記撮像支援画像として、前記撮像対象に表示された文字、図形、記号、色彩または前記撮像対象の形状を示す画像、あるいは、これらを組み合わせたものを示す画像を表示することを特徴とする評価システム。
【請求項３】
請求項１、２のいずれかにおいて、
前記表示手段は、前記指示画像として、広告依頼者に関する商品が撮像されるように指示する画像を表示することを特徴とする評価システム。
【請求項４】
請求項１〜３のいずれかにおいて、
前記サーバーは、前記携帯型端末装置ごとの撮像情報と、当該撮像情報の撮像時点を示す情報を含む受信データと、前記携帯型端末装置のユーザー名を示すデータを含むユーザーデータとを記憶する記憶手段を含み、
前記情報生成手段は、前記受信データと、前記ユーザーデータとに基づき、前記評価情報の一部として、前記指示に適合した撮像情報を送信した携帯型端末装置のユーザー名を撮像時点の早いユーザー順に並べたランキング画像を表示するためのランキング画像情報を生成することを特徴とする評価システム。
【請求項５】
請求項４において、
前記端末側通信手段は、前記撮像手段が撮像した時点で、撮像したことを示す撮像通知情報を前記サーバーへ向け送信した後、当該撮像通知情報とは別に前記撮像情報を前記サーバーへ向け送信し、
前記サーバー側通信手段は、前記撮像通知情報および前記撮像情報を受信し、
前記更新手段は、前記サーバー側通信手段によって前記撮像通知情報が受信された時の前記計時手段によって示される時点を、前記撮像時点として前記受信データを更新することを特徴とする評価システム。
【請求項６】
サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価システムにおいて、
前記携帯型端末装置は、
前記指示画像を表示する表示手段と、
前記撮像対象を撮像して前記撮像情報を生成する撮像手段と、
前記撮像情報を前記サーバーへ向け送信する端末側通信手段と、
を含み、
前記サーバーは、
前記携帯型端末装置と通信するとともに、前記撮像情報を受信するサーバー側通信手段と、
前記携帯型端末装置ごとの撮像情報と、当該撮像情報の撮像時点を示す情報を含む受信データとを記憶する記憶手段と、
前記受信データを更新する更新手段と、
時点を示す計時手段と、
前記撮像情報と前記指示との適否を判定する判定手段と、
当該判定手段による判定結果に応じて、判定対象となった撮像情報の評価を示す評価情報を生成する情報生成手段と、
を含み、
前記端末側通信手段は、前記撮像手段が撮像した時点で、撮像したことを示す撮像通知情報を前記サーバーへ向け送信した後、当該撮像通知情報とは別に前記撮像情報を前記サーバーへ向け送信し、
前記サーバー側通信手段は、前記撮像通知情報および前記撮像情報を受信し、
前記更新手段は、前記サーバー側通信手段によって前記撮像通知情報が受信された時の前記計時手段によって示される時点を、前記撮像時点として前記受信データを更新することを特徴とする評価システム。
【請求項７】
撮像情報を評価するサーバーと伝送路を介して通信可能な端末側通信手段と、表示手段と、撮像手段とを有する携帯型端末装置のコンピュータにより読み取り可能なプログラムであって、
コンピュータを、
所定の撮像対象の一部の特徴部分を示す撮像支援画像を含み、前記撮像対象を指示する指示画像を表示するための画像情報を生成する端末側情報生成手段と、
当該画像情報に基づき、前記指示画像を表示させるように前記表示手段を制御する表示制御手段と、
前記撮像対象を撮像させるように前記撮像手段を制御する撮像制御手段と、
前記撮像手段による前記撮像情報を前記サーバーへ向け送信させるとともに、前記サーバーから前記撮像情報に対する評価情報を受信させるように、前記端末側通信手段を制御する端末側通信制御手段として機能させ、
前記表示制御手段は、前記撮像支援画像を撮像時に表示させるように前記表示手段を制御することを特徴とするプログラム。
【請求項８】
撮像情報を評価するサーバーと伝送路を介して通信可能な端末側通信手段と、表示手段と、撮像手段とを有する携帯型端末装置のコンピュータにより読み取り可能なプログラムであって、
コンピュータを、
所定の撮像対象を指示する指示画像を表示するための画像情報を生成する端末側情報生成手段と、
当該画像情報に基づき、前記指示画像を表示させるように前記表示手段を制御する表示制御手段と、
前記撮像対象を撮像させるように前記撮像手段を制御する撮像制御手段と、
前記撮像手段による前記撮像情報を前記サーバーへ向け送信させるとともに、前記サーバーから前記撮像情報に対する評価情報を受信させるように、前記端末側通信手段を制御する端末側通信制御手段として機能させ、
前記端末側通信制御手段は、前記撮像手段が撮像した時点で、撮像したことを示す撮像通知情報を前記サーバーへ向け送信させた後、当該撮像通知情報とは別に前記撮像情報を前記サーバーへ向け送信させるように、前記端末側通信手段を制御することを特徴とするプログラム。
【請求項９】
複数の携帯型端末装置と伝送路を介して通信可能なサーバー側通信手段と、計時手段とを有するコンピュータにより読み取り可能なプログラムであって、
コンピュータを、
所定の撮像対象を撮像したことを示す撮像通知情報を前記携帯型端末装置から受信させ、当該撮像通知情報とは別に撮像内容を示す撮像情報を前記携帯型端末装置から受信させるように、前記サーバー側通信手段を制御するサーバー側通信制御手段と、
前記撮像情報と前記指示との適否を判定する判定手段と、
当該判定手段による判定結果に応じて、判定対象となった撮像情報の評価を示す評価情報を生成する情報生成手段として機能させることを特徴とするプログラム。
【請求項１０】
コンピュータにより読み取り可能なプログラムを記憶した情報記憶媒体であって、
請求項７〜９のいずれかに記載のプログラムを記憶したことを特徴とする情報記憶媒体。
【請求項１１】
サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価方法において、
前記携帯型端末装置は、
前記指示画像の少なくとも一部として、前記撮像対象の一部の特徴部分を示す撮像支援画像を撮像時に表示し、
前記撮像支援画像が表示された状態で前記撮像対象を撮像して前記撮像情報を生成し、
前記撮像情報を前記サーバーへ向け送信し、
前記サーバーは、
前記撮像情報を受信し、
前記撮像情報と前記指示との適否を判定し、
判定結果に応じて、判定対象となった撮像情報の評価を示す評価情報を生成し、
当該評価情報を前記携帯型端末装置へ向け送信し、
前記携帯型端末装置は、
前記評価情報を受信し、
前記評価情報に基づき、前記評価を示す画像を表示することを特徴とする評価方法。
【請求項１２】
請求項１１において、
前記撮像支援画像として、前記撮像対象に表示された文字、図形、記号、色彩または前記撮像対象の形状を示す画像、あるいは、これらを組み合わせたものを示す画像を表示することを特徴とする評価方法。
【請求項１３】
請求項１１、１２のいずれかにおいて、
前記指示画像として、広告依頼者に関する商品が撮像されるように指示する画像を表示することを特徴とする評価方法。
【請求項１４】
サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価方法において、
前記携帯型端末装置は、
前記指示画像を表示し、
前記撮像対象を撮像して前記撮像情報を生成し、
前記撮像情報を前記サーバーへ向け送信し、
前記サーバーは、
前記撮像情報を受信し、
前記撮像情報と前記指示との適否を判定し、
前記携帯型端末装置ごとの撮像情報と、当該撮像情報の撮像時点を示す情報を含む受信データと、前記携帯型端末装置のユーザー名を示すデータを含むユーザーデータとに基づき、前記指示に適合した撮像情報を送信した携帯型端末装置のユーザーを撮像時点の早いユーザー順に並べたランキング画像を表示するためのランキング画像情報を生成し、
当該画像情報を前記携帯型端末装置へ向け送信し、
前記携帯型端末装置は、
前記ランキング画像情報を受信し、
前記ランキング画像情報に基づき、前記ランキング画像を表示することを特徴とする評価方法。
【請求項１５】
請求項１４において、
前記携帯型端末装置は、前記撮像手段が撮像した時点で、撮像したことを示す撮像通知情報を前記サーバーへ向け送信した後、当該撮像通知情報とは別に前記撮像情報を前記サーバーへ向け送信し、
前記サーバーは、
前記撮像通知情報および前記撮像情報を受信し、
前記撮像通知情報を受信した時の前記サーバーの有するタイマーによって示される時点を、前記撮像時点として前記受信データを更新することを特徴とする評価方法。
【発明の詳細な説明】
【技術分野】
【０００１】
本発明は、ユーザーによる撮像情報を評価する評価システム、プログラム、情報記憶媒体および評価方法に関する。
【背景技術】
【０００２】
撮像機能を有する携帯電話を用いて種々の画像処理を行うことが提案されている。
【０００３】
例えば、特許文献１では、撮像場所と関連づけた新しいゲーム内容を実現することを課題として、撮像場所が関連する撮像課題を出題し、携帯電話で撮像された画像データと、撮像位置を示す位置特定データと、撮像時刻を示す時刻データとを用いて、撮像結果に対する評価を行うゲームシステムが開示されている。
【０００４】
また、特許文献１では、特許文献１の明細書の段落番号００４４に記載されているように、画像処理部が、画像データに対して特徴抽出処理を行い、撮像課題により示された所定の被写体が含まれているかどうか、構図がよいかどうかの判定を行うことが開示されている
さらに、特許文献１では、特許文献１の明細書の段落番号００３２に記載されているように、撮像場所と被写体を具体的に指示した問題文と、撮像課題に対する見本を示す見本画像とを含む撮像課題を出題することが開示されている
【特許文献１】特開２００３−７９９３７号公報
【発明の開示】
【発明が解決しようとする課題】
【０００５】
しかし、立体物を被写体として撮像する場合、被写体を撮像した撮像データの内容は撮像方向によって大きく異なる。このため、撮像位置データを用いずに撮像データのみに基づいて課題と適合しているかどうかを判定することは困難である。
【０００６】
また、携帯電話等の無線通信機能を有する携帯型端末装置が画像データを送信する場合、画像データ量によって通信にかかる時間が異なる。このような状況で、ゲームシステムが、課題提示から課題の撮像までの時間に応じた評価を行った場合、公平な評価を行うことは困難である。
【０００７】
本発明は、上記課題に鑑みなされたものであり、その目的は、撮像データを適切に評価することが可能な評価システム、プログラム、情報記憶媒体および評価方法を提供することにある。また、本発明の他の目的は、受信した撮像データを評価する場合であっても、撮像時点を適切に特定し、公平な評価を行うことが可能な評価システム、プログラム、情報記憶媒体および評価方法を提供することにある。
【課題を解決するための手段】
【０００８】
上記課題を解決するため、本発明に係る評価システムは、サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価システムにおいて、
前記携帯型端末装置は、
前記指示画像の少なくとも一部として、前記撮像対象の一部の特徴部分を示す撮像支援画像を撮像時に表示する表示手段と、
前記撮像対象を撮像して前記撮像情報を生成する撮像手段と、
前記撮像情報を前記サーバーへ向け送信する端末側通信手段と、
を含み、
前記サーバーは、
前記撮像情報を受信するサーバー側通信手段と、
前記撮像情報と前記指示との適否を判定する判定手段と、
当該判定手段による判定結果に応じて、判定対象となった撮像情報の評価を示す評価情報を生成する情報生成手段と、
を含むことを特徴とする。
【０００９】
また、本発明に係るプログラムは、撮像情報を評価するサーバーと伝送路を介して通信可能な端末側通信手段と、表示手段と、撮像手段とを有する携帯型端末装置のコンピュータにより読み取り可能なプログラムであって、
コンピュータを、
所定の撮像対象の一部の特徴部分を示す撮像支援画像を含み、前記撮像対象を指示する指示画像を表示するための画像情報を生成する端末側情報生成手段と、
当該画像情報に基づき、前記指示画像を表示させるように前記表示手段を制御する表示制御手段と、
前記撮像対象を撮像させるように前記撮像手段を制御する撮像制御手段と、
前記撮像手段による前記撮像情報を前記サーバーへ向け送信させるとともに、前記サーバーから前記撮像情報に対する評価情報を受信させるように、前記端末側通信手段を制御する端末側通信制御手段として機能させ、
前記表示制御手段は、前記撮像支援画像を撮像時に表示させるように前記表示手段を制御することを特徴とする。
【００１０】
また、本発明に係る情報記憶媒体は、コンピュータにより読み取り可能なプログラムを記憶した情報記憶媒体であって、上記プログラムを記憶したことを特徴とする。
【００１１】
また、本発明に係る評価方法は、サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価方法において、
前記携帯型端末装置は、
前記指示画像の少なくとも一部として、前記撮像対象の一部の特徴部分を示す撮像支援画像を撮像時に表示し、
前記撮像支援画像が表示された状態で前記撮像対象を撮像して前記撮像情報を生成し、
前記撮像情報を前記サーバーへ向け送信し、
前記サーバーは、
前記撮像情報を受信し、
前記撮像情報と前記指示との適否を判定し、
判定結果に応じて、判定対象となった撮像情報の評価を示す評価情報を生成し、
当該評価情報を前記携帯型端末装置へ向け送信し、
前記携帯型端末装置は、
前記評価情報を受信し、
前記評価情報に基づき、前記評価を示す画像を表示することを特徴とする。
【００１２】
本発明によれば、評価システム等は、携帯型端末装置に撮像支援画像が表示された状態で撮像させることにより、評価システムが意図した撮像状態で撮像させることができ、評価システムが意図した撮像データを得ることができる。これにより、評価システム等は、撮像データを適切に評価することができる。
【００１３】
また、前記評価システム、前記プログラムおよび前記情報記憶媒体において、前記表示手段は、前記撮像支援画像として、前記撮像対象に表示された文字、図形、記号、色彩または前記撮像対象の形状を示す画像、あるいは、これらを組み合わせたものを示す画像を表示してもよい。
【００１４】
また、前記評価方法において、前記撮像支援画像として、前記撮像対象に表示された文字、図形、記号、色彩または前記撮像対象の形状を示す画像、あるいは、これらを組み合わせたものを示す画像を表示してもよい。
【００１５】
これによれば、評価システム等は、携帯型端末装置に文字、形状等の撮像対象の特徴を表す画像を表示させて撮像させることにより、評価システムが意図した撮像状態で撮像させることができるため、撮像データを適切に評価することができる。
【００１６】
なお、このような画像としては、具体的には、例えば、前記撮像対象に表示された商標、前記撮像対象の外形等が該当する。
【００１７】
また、前記評価システム、前記プログラムおよび前記情報記憶媒体において、前記表示手段は、前記指示画像として、広告依頼者に関する商品が撮像されるように指示する画像を表示してもよい。
【００１８】
また、前記評価方法において、前記指示画像として、広告依頼者に関する商品が撮像されるように指示する画像を表示してもよい。
【００１９】
これによれば、評価システム等は、ユーザーを広告依頼者の商品に積極的に近づかせることができ、当該商品の広告効果を高めることができる。
【００２０】
また、前記評価システム、前記プログラムおよび前記情報記憶媒体において、前記サーバーは、前記携帯型端末装置ごとの撮像情報と、当該撮像情報の撮像時点を示す情報を含む受信データと、前記携帯型端末装置のユーザー名を示すデータを含むユーザーデータとを記憶する記憶手段を含み、
前記情報生成手段は、前記受信データと、前記ユーザーデータとに基づき、前記評価情報の一部として、前記指示に適合した撮像情報を送信した携帯型端末装置のユーザー名を撮像時点の早いユーザー順に並べたランキング画像を表示するためのランキング画像情報を生成してもよい。
【００２１】
また、本発明に係る評価方法は、サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価方法において、
前記携帯型端末装置は、
前記指示画像を表示し、
前記撮像対象を撮像して前記撮像情報を生成し、
前記撮像情報を前記サーバーへ向け送信し、
前記サーバーは、
前記撮像情報を受信し、
前記撮像情報と前記指示との適否を判定し、
前記携帯型端末装置ごとの撮像情報と、当該撮像情報の撮像時点を示す情報を含む受信データと、前記携帯型端末装置のユーザー名を示すデータを含むユーザーデータとに基づき、前記指示に適合した撮像情報を送信した携帯型端末装置のユーザーを撮像時点の早いユーザー順に並べたランキング画像を表示するためのランキング画像情報を生成し、
当該画像情報を前記携帯型端末装置へ向け送信し、
前記携帯型端末装置は、
前記ランキング画像情報を受信し、
前記ランキング画像情報に基づき、前記ランキング画像を表示することを特徴とする。
【００２２】
これによれば、評価システム等は、撮像時点の早い順序で並べたランキング画像を表示することにより、ユーザーに他人と競争する意識を高めさせ、ユーザーにゲーム感覚を感じさせ、ユーザーをより楽しませることができる。
【００２３】
また、前記評価システム、前記プログラムおよび前記情報記憶媒体において、前記端末側通信手段は、前記撮像手段が撮像した時点で、撮像したことを示す撮像通知情報を前記サーバーへ向け送信した後、当該撮像通知情報とは別に前記撮像情報を前記サーバーへ向け送信し、
前記サーバー側通信手段は、前記撮像通知情報および前記撮像情報を受信し、
前記更新手段は、前記サーバー側通信手段によって前記撮像通知情報が受信された時の前記計時手段によって示される時点を、前記撮像時点として前記受信データを更新してもよい。
【００２４】
また、本発明に係る評価システムは、サーバーと、当該サーバーと伝送路を介して通信する複数の携帯型端末装置とを有し、前記携帯型端末装置が、所定の撮像対象を指示する指示画像を表示し、前記撮像対象を撮像して撮像情報を前記サーバーへ向け送信し、前記サーバーが、前記撮像情報と前記撮像対象の指示との適否を判定して評価する評価システムにおいて、
前記携帯型端末装置は、
前記指示画像を表示する表示手段と、
前記撮像対象を撮像して前記撮像情報を生成する撮像手段と、
前記撮像情報を前記サーバーへ向け送信する端末側通信手段と、
を含み、
前記サーバーは、
前記携帯型端末装置と通信するとともに、前記撮像情報を受信するサーバー側通信手段と、
前記携帯型端末装置ごとの撮像情報と、当該撮像情報の撮像時点を示す情報を含む受信データとを記憶する記憶手段と、
前記受信データを更新する更新手段と、
時点を示す計時手段と、
前記撮像情報と前記指示との適否を判定する判定手段と、
当該判定手段による判定結果に応じて、判定対象となった撮像情報の評価を示す評価情報を生成する情報生成手段と、
を含み、
前記端末側通信手段は、前記撮像手段が撮像した時点で、撮像したことを示す撮像通知情報を前記サーバーへ向け送信した後、当該撮像通知情報とは別に前記撮像情報を前記サーバーへ向け送信し、
前記サーバー側通信手段は、前記撮像通知情報および前記撮像情報を受信し、
前記更新手段は、前記サーバー側通信手段によって前記撮像通知情報が受信された時の前記計時手段によって示される時点を、前記撮像時点として前記受信データを更新することを特徴とする。
【００２５】
また、本発明に係るプログラムは、撮像情報を評価するサーバーと伝送路を介して通信可能な端末側通信手段と、表示手段と、撮像手段とを有する携帯型端末装置のコンピュータにより読み取り可能なプログラムであって、
コンピュータを、
所定の撮像対象を指示する指示画像を表示するための画像情報を生成する端末側情報生成手段と、
当該画像情報に基づき、前記指示画像を表示させるように前記表示手段を制御する表示制御手段と、
前記撮像対象を撮像させるように前記撮像手段を制御する撮像制御手段と、
前記撮像手段による前記撮像情報を前記サーバーへ向け送信させるとともに、前記サーバーから前記撮像情報に対する評価情報を受信させるように、前記端末側通信手段を制御する端末側通信制御手段として機能させ、
前記端末側通信制御手段は、前記撮像手段が撮像した時点で、撮像したことを示す撮像通知情報を前記サーバーへ向け送信させた後、当該撮像通知情報とは別に前記撮像情報を前記サーバーへ向け送信させるように、前記端末側通信手段を制御することを特徴とする。
【００２６】
また、本発明に係るプログラムは、複数の携帯型端末装置と伝送路を介して通信可能なサーバー側通信手段と、計時手段とを有するコンピュータにより読み取り可能なプログラムであって、
コンピュータを、
所定の撮像対象を撮像したことを示す撮像通知情報を前記携帯型端末装置から受信させ、当該撮像通知情報とは別に撮像内容を示す撮像情報を前記携帯型端末装置から受信させるように、前記サーバー側通信手段を制御するサーバー側通信制御手段と、
前記撮像情報と前記指示との適否を判定する判定手段と、
当該判定手段による判定結果に応じて、判定対象となった撮像情報の評価を示す評価情報を生成する情報生成手段として機能させることを特徴とする。
【００２７】
また、本発明に係る情報記憶媒体は、コンピュータにより読み取り可能なプログラムを記憶した情報記憶媒体であって、上記プログラムを記憶したことを特徴とする。
【００２８】
また、前記評価方法において、
前記携帯型端末装置は、前記撮像手段が撮像した時点で、撮像したことを示す撮像通知情報を前記サーバーへ向け送信した後、当該撮像通知情報とは別に前記撮像情報を前記サーバーへ向け送信し、
前記サーバーは、
前記撮像通知情報および前記撮像情報を受信し、
前記撮像通知情報を受信した時の前記サーバーの有するタイマーによって示される時点を、前記撮像時点として前記受信データを更新してもよい。
【００２９】
本発明によれば、評価システム等は、撮像通知情報の受信時点を基準として撮像時点の早さを評価することにより、撮像情報の受信時点を基準として撮像時点の早さを評価する場合と比べ、より公平に評価することができる。なぜなら、撮像情報は、画像データを含むため、情報量が多く、送受信に時間がかかり、情報伝送速度に大きく依存するのに対し、撮像通知情報は、単なるテキスト情報であるため、情報量が少なく、送受信に時間がかからず、情報伝送速度にあまり依存しないからである。
【発明を実施するための最良の形態】
【００３０】
以下、本発明を、撮像指示に対する撮像の正確さと速さを評価する評価システムに適用した場合を例に採り、図面を参照しつつ説明する。なお、以下に示す実施形態は、特許請求の範囲に記載された発明の内容を何ら限定するものではない。また、以下の実施形態に示す構成のすべてが、特許請求の範囲に記載された発明の解決手段として必須であるとは限らない。
【００３１】
（システム全体についての説明）
図１は、本実施形態の一例に係るシステム全体の概略図である。
【００３２】
評価システムは、サーバー１００と、サーバー１００とネットワーク３００（伝送路）を介して通信する複数の携帯電話２００を含んで構成されている。なお、図１では、携帯型端末装置の一種である１台の携帯電話２００が描かれているが、実際には、複数の携帯電話２００がネットワーク３００に接続されている。
【００３３】
このような状況で、携帯電話２００が、サーバー１００にアクセスすることにより、所定の撮像対象を指示する指示画像を携帯電話２００の画面に表示する。携帯電話２００のユーザーは、撮像対象を探し、携帯電話２００に内蔵されたデジタルカメラで撮像対象を撮像して撮像情報をサーバー１００へ向け送信する。また、サーバー１００は、撮像情報と撮像対象の指示に対する撮像の正確さと撮像時点の早さを判定して評価する。
【００３４】
また、本実施形態では、広告依頼者ＰＣ５００が自社の商品に関する情報をサーバー１００へ送信し、サーバー１００は、当該情報に基づき、上記商品に関連した撮像指示を行うようにプログラムを生成し、携帯電話２００へ向け送信する。携帯電話２００は、当該プログラムに基づいて指示画像を表示する。
【００３５】
図２は、本実施形態の一例に係る指示画像４００を示す模式図である。
【００３６】
例えば、図２に示す例では、指示画像４００は、広告依頼者ＰＣ５００が配置されているＡ社の商標である「Ａマヨネーズ」という文字列と、商品であるＡマヨネーズの外形を含む撮像支援画像を含んで構成されている。また、指示画像４００は、「このフレームと一致するように撮影せよ！」という指示を示す文字列と、「撮影」というボタン画像を含んで構成されている。
【００３７】
携帯電話２００のユーザーは、例えば、Ａマヨネーズの販売店に行き、携帯電話２００の画面に表示された「Ａマヨネーズ」という文字列とＡマヨネーズの外形が、販売店で販売されている実物のＡマヨネーズと一致するように撮像する。
【００３８】
図３は、本実施形態の一例に係る撮像画像を示す模式図である。
【００３９】
これにより、ユーザーは、マヨネーズのような立体物を撮像する場合であっても、出題者によって意図された撮像画像４１０を得ることができる。また、サーバー１００も、撮像画像４１０が正解かどうかを適切に判定することができる。
【００４０】
また、広告依頼者にとっても、自社の商品をより効果的に宣伝することができる。
【００４１】
さらに、本実施形態では、携帯電話２００は、撮像画像４１０を示す撮像情報を送信する前に、撮像したことを示す撮像通知情報を、撮像した時点でサーバー１００へ向け送信する。そして、サーバー１００は、撮像通知情報を受信した時点を基準としてユーザーを評価する。
【００４２】
これによれば、評価システムは、撮像通知情報の受信時点を基準として撮像時点の早さを評価することにより、撮像情報の受信時点を基準として撮像時点の早さを評価する場合と比べ、より公平に評価することができる。なぜなら、撮像情報は、画像データを含むため、情報量が多く、送受信に時間がかかり、情報伝送速度に大きく依存するのに対し、撮像通知情報は、単なるテキスト情報であるため、情報量が少なく、送受信に時間がかからず、情報伝送速度にあまり依存しないからである。
【００４３】
次に、このような機能を実現するための携帯電話２００とサーバー１００の機能ブロックについて説明する。
【００４４】
図４は、本実施形態の一例に係る携帯電話２００の機能ブロック図である。
【００４５】
携帯電話２００は、ユーザーの操作情報を入力する操作部２５０と、画像の生成等を行う処理部２１０と、種々のデータを記憶する記憶部２２０と、画像を表示する表示部２３０と、音声を出力する音声出力部２４０と、撮像対象を撮像して撮像情報を生成する撮像部２６０とを含んで構成されている。
【００４６】
また、携帯電話２００は、サーバー１００からプログラム等を受信し、撮像情報等をサーバー１００へ向け送信する端末側通信手段として機能する通信部２８０を含んで構成されている。
【００４７】
また、処理部２１０は、撮像部２６０に撮像させる制御情報等を生成する情報生成部２１２と、操作部２５０による操作内容等の判定を行う判定部２１４と、記憶部２２０のデータを更新する更新部２１６とを含んで構成されている。
【００４８】
また、記憶部２２０は、指示画像４００等を表示するためのプログラム２２２、撮像部２６０によって生成される撮像データ２２４等を記憶している。
【００４９】
次に、サーバー１００の機能ブロックについて説明する。
【００５０】
図５は、本実施形態の一例に係るサーバー１００の機能ブロック図である。
【００５１】
サーバー１００は、評価情報の生成等を行う処理部１１０と、種々のデータを記憶する記憶部１２０と、時点を示す計時部１３０とを含んで構成されている。
【００５２】
また、サーバー１００は、携帯電話２００から撮像情報等を受信し、携帯電話２００へ向け評価情報等を送信するサーバー側通信手段として機能する通信部１８０を含んで構成されている。
【００５３】
また、処理部１１０は、撮像情報と撮像指示との適否や撮像時点の早さ等を判定する判定部１１４と、判定部１１４による判定結果に応じて、判定対象となった撮像情報の評価を示す評価情報等を生成する情報生成部１１２と、記憶部１２０のデータを更新する更新部１１６とを含んで構成されている。
【００５４】
また、記憶部１２０は、受信データ１２２、ユーザーデータ１２４、広告データ１２６等を記憶している。ここで、これらのデータについてより詳細に説明する。
【００５５】
図６は、本実施形態の一例に係る受信データ１２２のデータ構造を示す模式図である。
【００５６】
受信データ１２２は、携帯電話２００からの撮像情報に関連したデータである。受信データ１２２の項目としては、例えば、携帯電話２００のユーザーの電子メールアドレスを示す「メールアドレス」、携帯電話２００からの撮像情報を示す「撮像データ」、当該撮像情報の撮像時点を示す「撮像日時」等が該当する。
【００５７】
次に、ユーザーデータ１２４のデータ構造について説明する。
【００５８】
図７は、本実施形態の一例に係るユーザーデータ１２４のデータ構造を示す模式図である。
【００５９】
ユーザーデータ１２４は、携帯電話２００のユーザーに関するデータである。ユーザーデータ１２４の項目としては、例えば、「メールアドレス」、「ユーザー名」、ユーザーの累計得点を示す「ポイント」、「住所」、「年齢」、「性別」、ユーザーの今回の順位を示す「今回順位」、「ポイント」に基づくユーザーの順位を示す「全体順位」等が該当する。
【００６０】
なお、受信データ１２２とユーザーデータ１２４とは「メールアドレス」によって相互に関連づけられている。もちろん、ユーザーＩＤ等を用いて関連づけてもよい。
【００６１】
次に、広告データ１２６のデータ構造について説明する。
【００６２】
図８は、本実施形態の一例に係る広告データ１２６のデータ構造を示す模式図である。
【００６３】
広告データ１２６は、広告依頼者ＰＣ５００からの入力情報に基づくデータである。広告データ１２６の項目としては、例えば、撮像対象となる商品を識別するためのデータである「ＩＤ」、撮像対象である商品の名称を示す「商品名」、撮像支援画像を生成するためのデータである「フレームデータ」、正解かどうかの判定を行うためのデータである「解答データ」、撮像対象となる商品を説明しているインターネット上のＷｅｂページを示す「リンクデータ」等が該当する。
【００６４】
なお、このような各部をコンピュータに実装するためのハードウェアとしては、処理部１１０、２１０としては、例えば、ＣＰＵ、画像処理回路等、記憶部１２０、２２０としては、例えば、ＲＡＭ、ＨＤＤ等、計時部１３０としては、例えば、システムタイマー等、通信部１８０としては、例えば、ＬＡＮボードやルーター等、表示部２３０としては、液晶ディスプレイ等、音声出力部２４０としては、例えば、スピーカー等、操作部２５０としては、例えば、キー等、撮像部２６０としては、例えば、ＣＭＯＳカメラや画像処理回路等、通信部２８０としては、例えば、無線通信モジュール等を採用してもよい。
【００６５】
また、サーバー１００は、これらの各部としてコンピュータを機能させるためのプログラムを情報記憶媒体１９０から読み取ってその機能を実装してもよい。このようなプログラムとしては、例えば、コンピュータを、撮像通知情報を携帯電話２００から受信させ、当該撮像通知情報とは別に撮像内容を示す撮像情報を携帯電話２００から受信させるように、通信部１８０を制御するサーバー側通信制御手段と、撮像情報と撮像指示との適否を判定する判定部１１４と、判定部１１４による判定結果に応じて、判定対象となった撮像情報の評価を示す評価情報を生成する画像生成部１１２として機能させるプログラム等を採用してもよい。
【００６６】
また、携帯電話２００もこれらの各部としてコンピュータを機能させるためのプログラムを情報記憶媒体２９０から読み取ってその機能を実装してもよい。このようなプログラムとしては、例えば、コンピュータを、撮像支援画像を含み、撮像対象を指示する指示画像４００を表示するための画像情報を生成する情報生成部２１２と、当該画像情報に基づき、指示画像４００を表示させるように表示部２３０を制御する表示制御手段と、撮像対象を撮像させるように撮像部２６０を制御する撮像制御手段と、撮像部２６０による撮像情報をサーバー１００へ向け送信させるとともに、サーバー１００から撮像情報に対する評価情報を受信させるように、通信部２８０を制御する端末側通信制御手段として機能させるプログラム等を採用してもよい。
【００６７】
また、サーバー１００および携帯電話２００は、情報記憶媒体１９０、２９０からではなく、例えば、ネットワーク３００を介して所定のホスト端末等からプログラムを読み取って上述した種々の機能をコンピュータに実装することも可能である。
【００６８】
なお、情報記憶媒体１９０としては、例えば、ＣＤ−ＲＯＭ、ＤＶＤ−ＲＯＭ、ＩＣカード、ＲＯＭ、ＲＡＭ、メモリカード、ハードディスク等のレーザーや磁気等を用いた記憶媒体を適用できる。また、情報記憶媒体１９０、２９０からの情報読み取り方式は、接触式でも非接触式でもよい。
【００６９】
（処理の流れについての説明）
次に、サーバー１００および携帯電話２００を用いた評価システムにおける処理の流れについて説明する。
【００７０】
図９は、本実施形態の一例に係るランキング画像表示までの処理の流れを示すフローチャートである。
【００７１】
まず、評価システムのサービスをユーザーに提供する前に、更新部１１６は、広告依頼者ＰＣ５００からの入力情報に基づき、広告データ１２６を更新する（ステップＳ１）。これにより、例えば、「Ａマヨネーズ」の「商品名」、「フレームデータ」、「解答データ」、「リンクデータ」等が広告データ１２６に記憶される。
【００７２】
そして、評価システムのサービス提供の開始後、撮像対象の指示が行われる前に、更新部１１６は、携帯電話２００からの入力情報に基づき、ユーザーデータ１２４を更新する。これにより、例えば、ユーザーデータ１２４に「メールアドレス」、「ユーザー名」、「ポイント」、「住所」、「年齢」、「性別」等が記憶される。なお、「ポイント」には任意の初期値（例えば、０等）が記憶される。
【００７３】
そして、撮像対象の指示が行われる場合、携帯電話２００が、サーバー１００によって提供されるインターネット上の所定のＷｅｂページにアクセスすると、携帯電話２００の画面にアクセス指示画像が表示され、アクセス日時が指定される（ステップＳ３）。
【００７４】
図１０は、本実施形態の一例に係るアクセス指示画像４２０を示す模式図である。
【００７５】
図１０に示す例では、アクセス指示画像４２０には、「２００３年１０月１０日１０時に研究所にアクセスせよ！」という指示を示す文字列と、「研究所」というアクセスするためのＷｅｂページへのリンクを示す文字列が表示されている。
【００７６】
このようなアクセス指示画像４２０等は、例えば、サーバー１００が一般的なＷｅｂ表示方法を用いて携帯電話２００の画面に表示することができる。
【００７７】
判定部１１４は、携帯電話２００によって送信された情報に基づき、「研究所」のＷｅｂページにアクセスしているかどうかを判定する（ステップＳ４）。
【００７８】
また、判定部１１４は、携帯電話２００が「研究所」のＷｅｂページにアクセスしている場合、計時部１３０によって示される時点に基づき、当該アクセスがアクセス指示画像４２０の指定日時以降であるかどうかを判定する（ステップＳ５）。
【００７９】
判定部１１４によって指定日時以降であると判定された場合、情報生成部１１２は、広告データ１２６等に基づき、指示画像を表示するための画像情報を生成し、通信部１８０は、当該画像情報を携帯電話２００へ向け送信する。
【００８０】
携帯電話２００の表示部２３０は、当該画像情報に基づき、指示画像を表示する（ステップＳ６）。
【００８１】
図１１は、本実施形態の他の一例に係る指示画像４３０を示す模式図である。
【００８２】
指示画像４３０では、今回のターゲット（撮像対象）を示すとともに指示画像４００を表示するための「Ａマヨネーズ」という文字列、撮像情報を送信するための「送信」という文字列等が表示される。
【００８３】
指示画像４３０が表示された状態で、判定部２１４は、ユーザーが操作部２５０のキーを用いて「Ａマヨネーズ」をクリックしたことを検出すると、表示部２３０は、指示画像４００を表示するための画像情報に基づき、指示画像４００を表示する。
【００８４】
なお、通信部１８０は、指示画像４００、４３０およびアクセス指示画像４２０を表示するための画像情報を一括して携帯電話２００へ向け送信し、更新部２１６は、これらの画像情報を記憶部２２０に一時的に記憶しておく。
【００８５】
ユーザーは、「Ａマヨネーズ」の販売されている店舗に行き、携帯電話２００の画面に表示された指示画像４３０を見ながら撮像支援画像の外形および商標と一致するように、操作部２５０と撮像部２６０を用いて実物の「Ａマヨネーズ」を撮像する。
【００８６】
判定部２１４は、操作部２５０からの操作情報に基づき、ユーザーが撮像したかどうかを判定する。
【００８７】
判定部２１４によって撮像したと判定された場合、情報生成部２１２は、ユーザーが撮像したことを示す撮像通知情報を生成し、通信部２８０は、当該撮像通知情報をサーバー１００へ向け送信する。
【００８８】
また、判定部２１４によって撮像したと判定された場合、更新部２１６は、撮像部２６０によって生成された撮像内容を示す撮像情報を撮像データ２２４として記憶部２２０に一時的に記憶する。
【００８９】
通信部２８０は、撮像通知情報の送信後、撮像データ２２４に基づく撮像情報をサーバー１００へ向け送信する。
【００９０】
サーバー１００の更新部１１６は、これらの情報が通信部２８０によって受信されたかどうかを判定し（ステップＳ７）、更新部１１６は、受信データ１２２を更新する（ステップＳ８）。
【００９１】
より具体的には、更新部１１６は、通信部２８０によって携帯電話２００からの撮像通知情報が受信された場合、計時部１３０によって示される時点を参照し、当該時点を受信データ１２２の「撮像日時」として記憶する。
【００９２】
また、更新部１１６は、通信部２８０によって携帯電話２００からの撮像情報が受信された場合、当該撮像情報に基づき、受信データ１２２の「撮像データ」を更新する。
【００９３】
また、判定部１１４は、特徴抽出等の一般的な手法を用いて受信データ１２２の「撮像データ」が、広告データ１２６の「解答データ」と適合しているかどうかを判定する（ステップＳ９）。
【００９４】
適合している場合、更新部１１６は、ユーザーデータ１２４の「今回順位」を更新することにより、ユーザーの順位付けを行い、順位に応じてユーザーデータ１２４の「ポイント」を更新し、「ポイント」に応じて必要に応じて「全体順位」も更新する（ステップＳ１０）。
【００９５】
なお、サーバー１００は、撮像データの適否の判定や順位付けを、例えば、上位１０人のみ行い、１１位以降のユーザーに対しては行わない。
【００９６】
このようにして上位１０人が決定した場合、情報生成部１１２は、評価画像を表示するための評価情報を生成し、通信部１８０は、当該評価情報を携帯電話２００へ向け送信する。
【００９７】
携帯電話２００の表示部２３０は、当該評価情報に基づき、評価画像を表示する（ステップＳ１１）。
【００９８】
図１２は、本実施形態の一例に係る評価画像４４０を示す模式図である。
【００９９】
評価画像４４０では、今回のユーザーの獲得ポイントと、獲得ポイントの合計を示す総合ポイントが表示され、ランキング画像を表示するためのリンク（図１２に示す例では「研究室」という文字列）等が表示される。
【０１００】
ユーザーが表示部２３０のキーを用いて「研究室」をクリックすることにより、通信部２８０は、ランキング画像情報の配信要求情報をサーバー１００へ向け送信する。
【０１０１】
サーバー１００の情報生成部１１２は、通信部１８０によってランキング画像情報の配信要求情報が受信された場合、ユーザーデータ１２４に基づき、ランキング画像を表示するためのランキング画像情報を生成し、通信部１８０は、当該ランキング画像情報を携帯電話２００へ向け送信する。
【０１０２】
そして、携帯電話２００の表示部２３０は、サーバー１００からのランキング画像情報に基づき、ランキング画像を表示する（ステップＳ１２）。
【０１０３】
図１３は、本実施形態の一例に係るランキング画像４５０を示す模式図である。
【０１０４】
ランキング画像４５０では、上位１０人のユーザー名、全国での総合ポイントの上位３人のユーザー名等が表示される。なお、ランキングの表示対象や表示方法は任意であり、図１３に示す例には限定されない。
【０１０５】
このようにして評価システムは、ユーザーの撮像情報を評価し、順位付けを行うことができる。
【０１０６】
以上のように、本実施形態によれば、評価システムは、携帯電話２００に撮像支援画像が表示された状態で撮像させることにより、評価システムが意図した撮像状態で撮像させることができ、評価システムが意図した撮像データを得ることができる。これにより、評価システムは、撮像データを適切に評価することができる。
【０１０７】
特に、評価システムは、携帯電話２００に商標や形状という撮像対象の特徴を表す画像を表示させて撮像させることにより、評価システムが意図した撮像状態で撮像させることができるため、撮像データをより適切に評価することができる。
【０１０８】
例えば、撮像指示の際に携帯電話２００の画面に見本画像を表示する方式の場合、撮像時には見本画像が表示されないため、ユーザーは、撮像用画像と見本画像とを切り換えながら撮像する必要がある。これに対し、本実施形態によれば、指示画像４００内に撮像支援画像が表示されることにより、ユーザーは、画像を切り換えることなく、撮像対象をより効率的に撮像することができる。
【０１０９】
さらに、評価システムは、指示画像として、広告依頼者に関する商品が撮像されるように指示する画像を表示することにより、ユーザーを広告依頼者の商品に積極的に近づかせることができ、当該商品の広告効果を高めることができる。例えば、評価システムは、広告依頼者の新発売の商品を撮像対象として指定することにより、新発売の商品の広告効果を高めることができる。また、サーバー１００の運営者にとっても、広告収入を得やすくなる。
【０１１０】
また、本実施形態によれば、評価システムは、指示に適合した撮像情報を送信した携帯電話２００のユーザー名を撮像時点の早いユーザー順に並べたランキング画像４５０を表示することにより、ユーザーに他人と競争する意識を高めさせ、ユーザーにゲーム感覚を感じさせることができる。また、ユーザーは、撮像対象を素早く見つけて撮像することにより、いわゆるガンマンのような感覚でゲームを楽しむことができる。
【０１１１】
さらに、評価システムは、撮像通知情報の受信時点を基準として撮像時点の早さを評価することにより、撮像情報の受信時点を基準として撮像時点の早さを評価する場合と比べ、より公平に評価することができる。
【０１１２】
また、評価システムは、計時部１３０をサーバー１００に設け、サーバー１００側の時点を基準として評価することにより、より公平な評価を行うことができる。例えば、計時部１３０の機能を携帯電話２００に設け、携帯電話２００側の時点を基準として評価することも可能であるが、携帯電話２００側に設けた場合、ユーザーが不正に撮像時点を改変してしまう可能性もある。評価システムは、サーバー１００側に計時部１３０を設けることによってユーザーによる撮像時点の不正な改変を防止し、より公平な評価を行うことができる。
【０１１３】
（変形例）
以上、本発明を適用した好適な実施例について説明してきたが、本発明の適用は上述した実施例に限定されず、種々の変形が可能である。
【０１１４】
例えば、上述した実施例では、サーバー１００は、ユーザー全体での順位付けを行ったが、変形例として、ユーザーデータ１２４に基づき、地域、年齢、性別等で区分して順位付けを行ってもよい。
【０１１５】
また、サーバー１００は、指示画像４００で指示する撮像対象についても、ユーザーの地域、年齢、性別等に応じて選択して指示してもよい。具体的には、サーバー１００は、例えば、東京都限定の商品を撮像対象として指示してもよい。
【０１１６】
さらに、サーバー１００は、複数の撮像対象のうちどれか１つを選択させるといった指示を行ってもよい。そして、判定部１１４は、ユーザーの選択と、ユーザーデータ１２４に基づいてユーザーの嗜好を判定する処理等の種々のマーケティング処理を行ってもよい。
【０１１７】
また、上述した実施例では、正解かどうかを判定して撮像時点が早いユーザーに対してより高いポイントを与える評価方法を採用したが、評価方法は任意である。例えば、撮像支援画像を表示せずに、撮像データと撮像対象との適合度と、撮像にかかった時間のそれぞれに所定の係数をかけた値の合計値で評価する評価方法を採用してもよい。
【０１１８】
また、上述した実施例では、撮像支援画像として、商品全体の外形と、商品に表示された商標を採用したが、撮像支援画像の変形例として、商品の一部の形状、商品の特徴的な色、模様、文字等を示す画像またはこれらを組み合わせた画像、商品の特徴的な部分（例えば、キャラクター商品の顔部分等）等を採用してもよい。
【０１１９】
また、上述した実施例では、携帯電話２００とサーバー１００とを用いた評価システムについて説明したが、評価システムの変形例として、例えば、アミューズメント施設、遊園地、テーマパーク等において、ユーザーが専用の携帯型端末装置を持ち歩きながら施設内に配置された撮像対象を探索し、施設内の液晶ディスプレイ装置等にユーザーのランキング等の評価を表示する評価システムを採用してもよい。
【０１２０】
また、上述した実施例では、携帯型端末装置として携帯電話２００を採用したが、携帯型端末装置の変形例として、例えば、ＰＤＡ、通信機能付き携帯型ゲーム装置等を採用してもよい。
【０１２１】
また、上述した実施例では、時点として日時（例えば、２００３年１０月１０日１０時１０分１０秒等）を用いたが、時点の変形例として、例えば、日（例えば、２００３年１０月１０日等）、時（例えば、１０時１０分１０秒等）、経過時間（例えば、６１０秒等）、曜日（例えば、金曜日等）等を採用してもよい。
【０１２２】
さらに、上述した携帯電話２００やサーバー１００の機能を複数台の装置に分割して上述した機能をコンピュータに実装してもよい。
【図面の簡単な説明】
【０１２３】
【図１】本実施形態の一例に係るシステム全体の概略図である。
【図２】本実施形態の一例に係る指示画像を示す模式図である。
【図３】本実施形態の一例に係る撮像画像を示す模式図である。
【図４】本実施形態の一例に係る携帯電話の機能ブロック図である。
【図５】本実施形態の一例に係るサーバーの機能ブロック図である。
【図６】本実施形態の一例に係る受信データのデータ構造を示す模式図である。
【図７】本実施形態の一例に係るユーザーデータのデータ構造を示す模式図である。
【図８】本実施形態の一例に係る広告データのデータ構造を示す模式図である。
【図９】本実施形態の一例に係るランキング画像表示までの処理の流れを示すフローチャートである。
【図１０】本実施形態の一例に係るアクセス指示画像を示す模式図である。
【図１１】本実施形態の他の一例に係る指示画像を示す模式図である。
【図１２】本実施形態の一例に係る評価画像を示す模式図である。
【図１３】本実施形態の一例に係るランキング画像を示す模式図である。
【符号の説明】
【０１２４】
１００  サーバー（評価システム）
１１２、２１２  情報生成部
１１４、２１４  判定部
１１６、２１６  更新部
１２０  記憶部
１２２  受信データ
１２４  ユーザーデータ
１３０  計時部
１８０  通信部（サーバー側通信手段）
１９０、２９０  情報記憶媒体
２００  携帯電話（評価システム）
２３０  表示部
２６０  撮像部
２８０  通信部（端末側通信手段）
【図１】
2005191839.tif 000003
【図２】
2005191839.tif 000004
【図３】
2005191839.tif 000005
【図４】
2005191839.tif 000006
【図５】
2005191839.tif 000007
【図６】
2005191839.tif 000008
【図７】
2005191839.tif 000009
【図８】
2005191839.tif 000010
【図９】
2005191839.tif 000011
【図１０】
2005191839.tif 000012
【図１１】
2005191839.tif 000013
【図１２】
2005191839.tif 000014
【図１３】
2005191839.tif 000015